(57)【特許請求の範囲】
【請求項１】
複数の刃、及び少なくとも１つの乾燥状態の潤滑体を特徴とするかみそりカートリッジであって、
前記潤滑体が上ローブと前記上ローブよりも低い下ローブとを有し、前記下ローブが前記複数の刃の最大刃面高さ以上の最大高さを有し、前記下ローブの最大高さと前記複数の刃の最大刃面高さとの差が０．１０ミリメートル以下であり、
前記潤滑体が潤滑ストリップ、キャップ、コーティングされたキャップ、又はこれらの任意の組み合わせである、
かみそりカートリッジ。
【請求項２】
前記少なくとも１つの潤滑体が任意の形状であってよい、請求項１に記載のかみそりカートリッジ。
【請求項３】
前記複数の刃が任意の種類である、請求項１又は２に記載のかみそりカートリッジ。
【請求項４】
前記複数の刃が混在した種類である、請求項１又は２に記載のかみそりカートリッジ。
【請求項５】
前記複数の刃が同じ高さである、請求項１又は２に記載のかみそりカートリッジ。
【請求項６】
前記複数の刃が異なる高さである、請求項１又は２に記載のかみそりカートリッジ。
【請求項７】
前記潤滑体の最大高さが、前記潤滑体の最も近位にある１枚又は複数の刃の高さ以上である、請求項１〜６のいずれか一項に記載のかみそりカートリッジ。
【発明の詳細な説明】
【技術分野】
【０００１】
本発明はかみそりカートリッジに関し、より詳細にはかみそりカートリッジ用剃毛補助剤から構成される潤滑ストリップ又はキャップに関する。
【背景技術】
【０００２】
湿式剃毛かみそりカートリッジは、典型的に多数の鋭利な刃、フィンガード、及び少なくとも１つの剃毛補助複合体から構成される。剃毛補助複合体は、場合によっては潤滑ストリップとしても当該技術分野において既知であり、剃毛プロセス中に剃毛補助剤、典型的には潤滑剤を連続的に放出する。潤滑ストリップは、米国特許第６，３０１，７８５号、同第４，１７０，８２１号、及び英国特許第２，０２４，０８２号に記載されている。剃毛補助剤ストリップは、一般に非水溶性ポリマーマトリックス（典型的にはポリスチレン）及び水溶性剃毛補助剤（典型的にはポリエチレンオキシド）から構成される。水溶性剃毛補助剤は、剃毛中にストリップから溶け出して剃毛の快適性を向上させる。潤滑剤の放出量の増加は、湿式剃毛経験を更に改善させる。この増加は、剃毛補助剤ストリップの化学的性質又は処方を変更することによって実現された。例えば、ストリップの構造的完全性に悪影響を及ぼすことなく、低分子量のポリエチレンオキシド（例えば、米国特許第５，１１３，５８５号に記載）の一定部分を使用すること又は少量のポリカプロラクトン（例えば、同第６，３０１，７８５号に記載）を組み入れることが挙げられる。潤滑ストリップがカートリッジの抵抗の低減及び毛髪の引き抜き／引っ張りの低減において非常に重要な役割を果たし、最終的には安全性、快適性、及び滑らかな剃毛など多くの利益をもたらすことも既知である。
【０００３】
良好な剃毛（例えば、快適で刺激が少ない）は、一般にカートリッジ及びハンドルの精巧な設計、又はより多くの枚数の刃（例えば、３枚、４枚、及び５枚の刃）を使用して剃毛効率を向上させること、又は刃先の強化、刃先輪郭の最適化、若しくは刃先への薄い潤滑ポリマーコーティングの塗布により刃の毛髪切断抵抗を大幅に低減させることのいずれかによって達成できることも当該技術分野において既知である。したがって、刃はより鋭利に、強く、薄くなり、ユーザーの皮膚上での刃の低切断抵抗を達成する。このような刃は、米国特許第６，８６６，８９４号及び同第６，６８４，５１３号に記載され、鋭利で薄い刃の寸法が記載されている。
【０００４】
しかし刃が鋭利になるにつれて、一部のユーザーは、ユーザーの皮膚タイプ又は顔の輪郭／湾曲のために極めて鋭利な刃に対して皮膚が非常に敏感であるという悪影響を認識し、したがって、これらのより鋭利で、薄く、強い刃を使用した場合に、不快感、刺激、又は更には切り傷及び切断をますます認識するようになった。
【先行技術文献】
【特許文献】
【０００５】
【特許文献１】米国特許第６，３０１，７８５号
【特許文献２】米国特許第４，１７０，８２１号
【特許文献３】英国特許第２，０２４，０８２号
【特許文献４】米国特許第５，１１３，５８５号
【特許文献５】米国特許第６，８６６，８９４号
【特許文献６】米国特許第６，６８４，５１３号
【発明の概要】
【発明が解決しようとする課題】
【０００６】
したがって、これらのより鋭利で、薄く、強い刃を使用して実現される現在の剃毛体験を改善させる必要性が存在する。
【課題を解決するための手段】
【０００７】
本発明は、複数の刃及び少なくとも１つの潤滑体を含むかみそりカートリッジを提供し、この潤滑体は、該複数の刃の最大刃面高さ以上の最大高さを有する。潤滑体は、潤滑ストリップ又はキャップ又はコーティングされたキャップであってよく、任意の形状でよい。刃は、任意の種類であってよく、混在した種類であってもよい。
【０００８】
例えば、刃は、低切断抵抗の（鋭利な）刃を含んでよい。刃は、同じ高さでも、異なる高さでもよい。潤滑体の最大高さは、該潤滑体の最も近位にある１枚又は複数の刃の高さ以上であってよい。
【０００９】
本発明の別の実施形態では、かみそりカートリッジは複数の刃、並びに約−０．１０ミリメートル以上、約０．００ｍｍ以上、及び約０．１０ｍｍ以上、又は約−０．１０ｍｍ〜約０．００ｍｍのストリップ露出部を有する少なくとも１つの潤滑体を含む。かみそりカートリッジは、０度以上又は約０度〜約１０度のストリップ角を含んでよい。潤滑体は、ストリップ又はキャップであり、任意の形状である。刃は、任意の種類が混在したものであってよく、同じ高さでも異なる高さでもよい。
【００１０】
１つの態様では、潤滑体は流体と接触してよい。ある実施形態では、ストリップ露出部が、該潤滑体の最も近位にある、複数の刃のうちの１枚又は複数の刃に対してであってよい。
【００１１】
更に別の実施形態では、かみそりカートリッジは、複数の刃、並びに剃毛中に−０．１０ミリメートル以上のストリップ露出部及び０度以上のストリップ角を有する少なくとも１つの潤滑体を含む。
【００１２】
他に定義されない限り、本明細書において使用される全ての技術的用語及び科学的用語は、本発明の属する分野の当業者に慣例的に理解されるものと同じ意味を有する。本明細書に記載されているのと同様又は同等の方法及び材料を本発明を実施又は試験するために使用することが可能であるが、好適な方法及び材料を以下に記載する。本明細書で言及される全ての刊行物、特許出願、特許、及び参照は、参照することによりその全体を本明細書に組み込む。不一致である場合、定義を含め本明細書は調整される。更に、前記材料、方法、及び実施例は一例にすぎず、制限することを意図していない。
【００１３】
本発明の他の特徴及び利点は、以下の詳細な説明から、また特許請求の範囲から明らかとなろう。
【図面の簡単な説明】
【００１４】
本明細書は、本発明を形成すると思われる主題を特定して指摘し明確に請求する請求項にて結論とするが、本発明は、添付図と関連づけて行う次の説明によってよりよく理解されると考えられ、添付図中では同様の表記は実質的に同一の要素を示すのに使用する。
【図１】刃に対する潤滑ストリップの従来技術の断面側面図。
【図２】本発明による潤滑ストリップ露出部を示す、刃に対するキノコ形状の潤滑ストリップの側面図。
【図２ａ】本発明による潤滑ストリップ露出部を示す、刃に対するキノコ形状の潤滑ストリップの側面図。
【図３】本発明による潤滑ストリップ露出部を示す、刃に対するキノコ形状の潤滑ストリップの側面図。
【図４】本発明によるストリップ露出部を示す、刃に対する矩形形状のキャップ又はストリップの側面図。
【図５】本発明によるストリップ露出部を示す、刃に対する傾斜キャップ又はストリップの側面図。
【図６】本発明によるストリップ露出部を示す、刃に対する円筒形状のキャップ又はストリップの側面図。
【図７】本発明によるストリップ露出部を示す、刃に対するキノコ形状のキャップの側面図。
【図８】本発明による潤滑ストリップ角を示す、刃に対する潤滑ストリップの側面図。
【図９】本発明による刃に対する潤滑ストリップの膨張を示す側面図。
【図１０】本発明による混在した高さの刃面に対する潤滑ストリップの側面図。
【発明を実施するための形態】
【００１５】
従来技術で開発されていない１つの重要な分野は、複数刃と潤滑ストリップ又はキャップとの相互作用、及び潤滑ストリップ又はキャップに対する低切断抵抗（より鋭利で、薄く、強い）刃の端部輪郭の連結形状の最適化である。
【００１６】
本発明は、湿式剃毛システムで改善された剃毛属性を得るために、複数の鋭利な刃との相互作用と共に（剃毛補助剤から構成される）ストリップ又はキャップなどの潤滑体の形状、材料、及び配置を考慮した、潤滑体の新しい形状を開示する。
【００１７】
本発明において「形状」という用語は、かみそりカートリッジの刃面に対するストリップ又はキャップの配置、及びストリップ若しくはキャップの形状、形態、又は材料の両方を意味する。
【００１８】
剃毛補助剤は、潤滑ストリップ内の化学物質、又はキャップ上にコーティングされたか、キャップ内に埋め込まれた化学物質を意味する総称である。これらの化学物質は、剃毛中に放出される際に湿式剃毛ユーザーに利益をもたらしてよい。
【００１９】
剃毛補助剤から構成される潤滑体、ストリップ、キャップ、又は潤滑キャップは、一般に湿式剃毛で多くの役割を果たすので、本発明においてこれらはかみそりカートリッジの重要な構成要素である。第１に、ストリップ又はキャップは、剃毛中にユーザーの皮膚表面上に潤滑剤を放出して抵抗を低減し、滑らかな剃毛を達成できる。その一方で、場合によっては他の化学成分を放出して皮膚に利益をもたらす。第２に、ストリップ又はキャップは、皮膚を少し伸ばすことによって皮膚管理を支援し、より効率的な剃毛及び深剃りを達成できる。第３に、間もなく新しいカートリッジの時期であることを示す色付きストリップがストリップの上面に組み込まれている場合、いずれかがウェアインジケータとして機能する。最後に、潤滑ストリップ又はキャップは肩部として機能し、ユーザーによってカートリッジにもたらされる全圧から負荷の一部を分担する。
【００２０】
キャップは、最後尾の刃がユーザーの皮膚を傷つけないように主に剃毛中の安全性をユーザーに更にもたらす。
【００２１】
本発明において、潤滑体（例えば、ストリップ又はキャップ）の「形状」は重要な観点であるので、以下の用語は、本発明にとって重要な観点となる。これらの用語については、下記の図に関してより詳細に説明する。これらの用語とは、ストリップ露出部、ストリップ高さ又はストリップ面（又は最大ストリップ高さ）、ストリップ角、及び刃面高さ（又は最大刃面高さ）である。
【００２２】
図１に示されるように、従来技術の複数刃システム１０は、かみそり刃１２及び潤滑ストリップ１４を含んで示され、刃面１５が、潤滑ストリップ面１８又は潤滑ストリップ１４の最大高さを超える高さにある。刃面１５は、また潤滑ストリップ面１７（又は下ローブ１１の最高地点）を超える高さにある。
【００２３】
ストリップ露出部１６は、ストリップ１４の種類又はストリップの表面形状によって異なる場合はあるが、一般に潤滑ストリップ１４の最大高さ１８と刃面１５又は刃の最大高さとの間の距離として定義される。しかし、図１に示される種類のように、２つの凹面、又は下ローブ１１及び上ローブ１３を有することがあるキノコ形状の表面の場合、ストリップ露出部１６は、典型的に刃面１５とストリップ１４の下ローブ１１の最高地点１７から延びる平行面との間の距離として定義される。従来技術では、図１のストリップ露出部１６は、典型的に約−０．５０ｍｍ〜約−０．１２ｍｍの範囲である。ストリップ高さは刃面高さよりも小さい数であるため、従来技術のストリップ露出部が負の数の範囲であることに留意する必要がある。
【００２４】
最適な処方及びプロセス（押出成形、鋳造、又はカレンダー工法のいずれであっても）によって最適化された形状は、刃の負荷を軽減して、深剃りを犠牲にすることなく最も快適な剃毛を達成する。本発明では、刃と潤滑ストリップの形状の最適化との間の相互作用及び共力効果について説明する。
【００２５】
図２に示されるように、本発明の１つの実施形態による複数刃かみそりシステム１０は、かみそり刃１２及び潤滑ストリップ露出部又はストリップ露出部１６を有する潤滑ストリップ１４を含む。このストリップ露出部は、ストリップ１４の種類又はストリップの表面形状並びに刃の種類及び高さによって異なる場合はあるが、潤滑ストリップ１４の最大高さと刃又は刃面１５の最大高さとの間の距離である。したがって、潤滑ストリップ１４の皮膚接触面は、一般には刃の皮膚接触面よりも上である。しかし、２つの凹面、又はローブ１１及び１３を有することのある図２に示される種類などキノコ形状の表面の場合、潤滑ストリップ露出部１６は、一般に刃面１５とストリップ１４の下ローブ１１の最高地点１７から延びる平行面との間の距離として定義される。
【００２６】
図２に示される実施形態のストリップ露出部１６は、約−０．１０ｍｍ〜約０．００ｍｍの範囲である。刃面１５は、潤滑ストリップ高さ地点１８よりも低い高さに配置されており、したがって、ストリップ１４はブレード面よりも全体的に高いと考えられることに留意する必要がある。図２ａの本発明の別の実施形態に示されるように、刃面１５及び下ローブの最高地点１７がほぼ同じ平面上にある場合、実質的に高さの相違がないため、ストリップ露出部１６は約０．００ｍｍになる。
【００２７】
図２では、刃面１５が潤滑ストリップ高さ又は上ローブ１３の最高地点１８とストリップ１４の下ローブ１１の最高地点１７との間に配置された状態で示される。しかし、本発明の別の実施形態では、特にキノコ形状のストリップ１４に関して、刃面１５は下ローブ１１以下の高さにあり、図３と共に以下で記載されるストリップ露出部を有してよい。
【００２８】
図３に示されるように、複数刃かみそりシステム１０は、かみそり刃１２及びストリップ露出部１６を有するキノコ形状の潤滑ストリップ１４を含んで示される。このストリップ露出部は、潤滑ストリップ１４の最大高さと刃面１５又は刃の最大高さとの間の距離であり、このキノコ形状ストリップの実施形態でもまた、ストリップ露出部１６は、刃面１５とストリップ１４の下ローブ１１の最高地点１７から延びる平行面との間の距離として定義される。図３に示されるように、刃面１５はストリップ高さ面１７よりも低く、したがってストリップ露出部１６は正の数の範囲にある。
【００２９】
図３に示される実施形態では、潤滑ストリップ（又はキャップ）は、約０．００ｍｍ〜約０．１０ｍｍの範囲のストリップ露出部１６を有し、望ましくは約０．００ｍｍ〜約０．０５ｍｍのストリップ露出部を有してよい。
【００３０】
したがって、本発明の図２、２ａ、及び３を共に考慮すると、ストリップ露出部１６は、約−０．１０〜約０．１０ｍｍの範囲であってよく、望ましくは約０．００ｍｍ〜約０．０５ｍｍのストリップ露出部を有してよい。
【００３１】
したがって、キノコ形状のストリップ又はキャップの場合、刃面１５が最大ストリップ高さ１８以下である限り、ストリップ露出部１６は、本発明により提供されるように形成される。したがって、高さ１８と高さ１７との間の任意の位置又は高さ１７よりも低い任意の位置にある刃面１５は、一般に本発明の範囲内でストリップ露出部１６を形成すると考えられる。キノコ形状のストリップ又はキャップにおける上ローブ及び下ローブの典型的な高さの相違は、約２００μｍ〜約２５０μｍであることにも留意する必要がある。
【００３２】
図２〜３に示されるキノコ形状に加えて、本発明のストリップ若しくはキャップの形状又は形態は、下の表１に図示されるように矩形、円筒形、三角形、又はこれらの任意の組み合わせであってもよいが、これらに限定されない。ストリップ又はキャップは、下記の任意の形状を形成する厚膜であってもよく、あるいはストリップは、ストリップ又はキャップの上面だけに存在する潤滑層であってよい。
【表１】
0005420657.tif 000002
【００３３】
上記の表１に示される種類の矩形又は平坦なストリップ若しくはキャップの場合、本発明の別の実施形態による非（又は低度の）潤滑キャップ１４上にコーティングされた潤滑材料１４ａを示し、同様に形成されて配置された潤滑ストリップ１４と同等であってよい図４に示されるように、ストリップ露出部１６は、潤滑ストリップの最大高さ又はストリップ面１８と刃面１５との間の距離である。ストリップ面１８は刃面１５よりも高いので、ストリップ露出部１６は、約０．００ｍｍ〜約０．１０ｍｍの範囲の正の数であり、望ましくは約０．００ｍｍ〜約０．０５ｍｍの範囲であってよい。
【００３４】
図５に示されるように、ストリップ表面が平坦ではあるものの、刃面に対して傾斜部を有する場合、ストリップ露出部１６は、刃面１５とストリップの中央経線１９が存在するその平行面との間の距離として定義される。ストリップが円筒形又は円形の棒である場合、本発明の別の実施形態による非（又は低度の）潤滑キャップ１４上にコーティングされた潤滑材料１４ａを示し、同様に形成されて配置された潤滑ストリップ１４と同等であってよい図６に示されるように、ストリップ露出部は、刃面とストリップの最高地点を横断する平行面との間の距離であると定義される。ストリップ面１８は刃面１５よりも高いので、ストリップ露出部１６は、約０．００ｍｍ〜約０．１０ｍｍの範囲の正の数であり、望ましくは約０．００ｍｍ〜約０．０５ｍｍの範囲であってよい。
【００３５】
更に本発明によると、刃面１５が下ローブ１１の最大高さよりも低い高さに示されるので、図７は、約０．００ｍｍ〜約０．１０ｍｍの範囲の正のストリップ露出部１６を有するキノコ形状のキャップ１４を示し、このストリップ露出部は望ましくは約０．００ｍｍ〜約０．０５ｍｍであってよい。キャップ１４は、潤滑材料１４ａでコーティングされてよい。
【００３６】
本発明は、キャップ及びストリップの両方又は任意の数のキャップ若しくはストリップを有するかみそりカートリッジ（図示せず）に応用してもよい。キャップ及びストリップの両方が存在する場合、ストリップのみが本発明の約−０．１０ｍｍ〜約＋０．１０ｍｍ、望ましくは約０．００ｍｍ〜約０．０５ｍｍの範囲のストリップ露出部を有し、キャップは有さない、又はキャップのみが本発明のストリップ露出部を有し、ストリップは有さない、又は両方が本発明により提供されるストリップ露出部を有してよい。本発明は、ストリップを有するがキャップは有さない、又はキャップを有するがストリップは有さない、かみそりカートリッジにも応用してよく、後者のいずれの場合においても、本発明により提供されるストリップ露出部がやはり存在する。
【００３７】
上記のように、本発明では、潤滑ストリップ（又はキャップ）は、約−０．１０ｍｍ〜約０．１０ｍｍの範囲のストリップ露出部１６を有してよく、望ましくは、約０．００ｍｍ〜約０．０５ｍｍのストリップ露出部を有してよい。わずかに負、ゼロ、若しくはゼロを超える（例えば、正の値）であるストリップ露出部を有する潤滑ストリップ、又はストリップ面がほんのわずかに刃面よりも下、刃面の高さ、若しくは刃面の高さを超える場合では、全体的性能、切り傷や深剃りの心配がないことなど他の剃毛属性を失うことなく、剃毛中及び剃毛後の快適性など快適性に関連する剃毛属性が直接的に改善し、場合によっては、深剃りなど間接的な改善点が存在し得ることが確認された。したがって、ストリップ露出部におけるごくわずかな高さの変更であっても、剃毛属性に関してユーザーに顕著な利益をもたらす。
【００３８】
これは、ストリップ露出部におけるごくわずかな変更にもかかわらず、新しい形状が刃の抵抗負荷、特にストリップのより近位にある刃の抵抗負荷を大幅に低減することがあり、更に負荷分散に影響することもあるからである。例えば５枚刃のかみそりカートリッジでは、影響を受ける最も近位にある刃は、最後の２枚又は３枚の刃であってよい。場合によっては、刃の抵抗負荷で最大３０％の減少が認められてよい。次いでこれは、改善された剃毛属性をもたらす。したがって、快適性、深剃りなど改善された剃毛属性に直接的に転換され得るのは、ストリップの形状である。
【００３９】
図８を参照すると、複数刃のかみそりシステム１０が、刃面１５の最大高さから潤滑ストリップ１４の上ローブ１３の最大高さ１８まで上向きに延びる線の間に形成された角度２２として本発明によって描かれる相対ストリップ角２２を含んで示される。
【００４０】
本発明では、潤滑ストリップ１４は、約０度〜約１０度（又は約５．０±５．０度）の範囲にある相対ストリップ角を有してよく、望ましくは約１度〜約７度（又は約４．０±３．０度）の範囲にあるストリップ角を有してよい。反対に、図１に示される従来技術のストリップ角２２は、本質的にゼロ角又は負の角である。
【００４１】
ストリップ角は、ストリップの傾斜角として知られる角度とは異なることに留意する必要がある。傾斜角は、ストリップがカートリッジに配置される角度であり、刃の端面１５とストリップの表面平面８２との間の角度として定義される。例えば図８をもう一度参照すると、傾斜角２３はストリップ角２２よりも大きい。
【００４２】
例えば、潤滑ストリップ又は潤滑コーティングされたキャップ又はキャップに見られる典型的な剃毛補助剤は、主たる潤滑剤としてポリエチレンオキシド（ＰＥＯ）、マトリックスとしてポリスチレン（ＰＳ）、並びにポリカプロラクトン、アロエベラ、ビタミンＥ、鉱油／ベビーオイル、及び場合によっては杏又はクルミ外殻の粉末など他の天然成分など他の副成分を含んでよい。ＰＥＯ／ＰＳベースのストリップは、押出成形によって製造されてよい。ポリカプロラクトンの添加は、わずかなずれを持つストリップ露出部を容易に制御しつつ、潤滑ストリップの製造を改善させてよく、したがって、使用中のＰＥＯの放出量を増加させるうえに、より滑らかなストリップ表面をもたらしてよい。
【００４３】
本発明では、ストリップ又はキャップの潤滑材料には、ポリウレタン、ポリビニルピロリドン（polyvinylpyrorridone）（ＰＶＰ）、ナイロン、ポリエチレン、ポリプロピレン、ポリ（メチルメタクリレート）、ポリテトラフルオロエチレン、ポリ（アクリロニトリル、ブタジエン、スチレン）などのポリマーも挙げてよいことが想到される。更に潤滑ストリップは、金属、合金、又は木材からも構成され得る。潤滑ストリップは、シリコーン及び他のエラストマーなどゴムであってもよい。プラスチック又はゴムのストリップは、押出成形、鋳造、又はカレンダー工法によって製造されてよい。
【００４４】
本発明では、剃毛補助複合体が複数の潤滑ストリップを含んでもよいことが更に想到され、同様又は各種の形状及び／又はこれらの組み合わせの２つ、３つ、又は更により多くのストリップが存在してよい。また上記のように、これらの潤滑ストリップの一部はストリップ体の全体に潤滑剤を含むが、他の潤滑ストリップはストリップの表面のみに潤滑層を有してよい。本発明では、潤滑ストリップ又はキャップの上面は、均一であっても、均一でなくてもよい。
【００４５】
したがって、本発明の更なる１つの態様は、複数刃を有する湿式剃毛かみそりで使用するための異なる種類の潤滑ストリップに合わせて上記の形状（ストリップ露出部及び／又はストリップ角及び配置）を最適化することを目的とする。
【００４６】
上記のように剃毛試験では、「高いストリップ」又は「高いキャップ」（例えば、本発明によって上記で定義されたストリップ露出部を有する）、特に刃に対して正のストリップ露出部を有する多種多様なストリップは、改善された剃毛効果、属性（より良好な全体的性能、剃毛中の快適性、切り傷の心配がないこと、深剃り、及び剃毛後の快適性）をもたらし、いずれか一方を犠牲にしないことが判明した。これらの有益な潤滑ストリップの１つは、放電加工機によって製造されたアルミニウムタイプのストリップであってよい。アルミニウムストリップの上面にはクロムコーティングがスパッタされ、続いてＰＴＦＥの極薄コーティングがクロムの上に塗布される。したがって、このような潤滑ストリップは、アルミニウムのベース及びクロム中間層及びポリテトラフルオロエチレン（ＰＴＦＥ）最上層からなり、非浸出性潤滑ストリップと見なされる。本発明のこのような非浸出性ストリップは、平均すると上記の約０．００ｍｍ〜約０．１０ｍｍの範囲、及び望ましくは約０．００ｍｍ〜約０．０５ｍｍの範囲の最適化されたストリップ露出部値を得て、改善された剃毛属性をもたらすことができる。
【００４７】
本発明の更なる１つの態様によると、潤滑ストリップ又はキャップの形状及び材料は、ユーザーがかみそりカートリッジを使用して剃毛するにつれて潤滑ストリップ又はキャップ上の潤滑材料が磨耗し得るという事実を必然的に考慮する。したがって、使用中にストリップが磨耗するにつれてユーザーが予期する剃毛効果の変動が大幅に低減する又は基本的に排除されるようにストリップ面と刃面との間に安定的な幾何学的関係をもたらすことは有益である。
【００４８】
ストリップの形状に関して考慮すべき１つの要因は、丈のある、つまり高い潤滑ストリップは、短い潤滑ストリップよりも高くてよいことである。これは、高い潤滑ストリップが刃面よりも高く設定されているためだけではなく、多くの場合、短いストリップよりも多くの潤滑剤を上面に使用して形成されているためである。ただし平均すると、ストリップが高いほど、ストリップは早く磨耗する。しかしながら、それにもかかわらず高いストリップは、その組成に関係なく、短いストリップよりも刃の抵抗負荷を低減する点、及び場合によっては負荷分散の点でより効果的であり、このことは次いで、いずれの剃毛性能も犠牲にすることなく、剃毛中及び剃毛後の快適性などより良好な剃毛効果をもたらす。
【００４９】
ストリップの形状及び材料に関して考慮すべき別の要因は、潤滑ストリップが水などの流体に接触すると（例えば、剃毛中）、通常、潤滑ストリップが膨張することである。一般に潤滑ストリップが膨張すると、潤滑ストリップは若干高くなる。図９に示されるように、乾燥状態にある潤滑ストリップ又はキャップ１４は刃面より下に位置してよいが、ぬれた状態（例えば、剃毛中）には刃面の上まで盛り上がる、つまり膨張してよい。したがって、図９には、潤滑ストリップ１４が流体に接触する前（例えば、乾燥）の乾燥ストリップＡとして示される。ストリップＡは、刃面１５の下の最大ストリップ高さ１８ａ及び約−０．２０ｍｍ〜約−０．３０ｍｍのストリップ露出部１６ａを有する。潤滑ストリップ１４は、流体に接触した後の膨張ストリップＢ及びＣ（例えば、膨張ストリップＢは約０．５分〜１分間流体と接触し、膨張ストリップＣは約１〜２分間流体と接触する）としても示される。ストリップＢ及びＣは、約０．０４ｍｍ〜約０．１０ｍｍの範囲のストリップ露出部１６ｂ及び１６ｃを有し、したがって刃面高さ１５を超える高さ１８ｂ及び１８ｃまで潤滑ストリップ１４を膨張させる。
【００５０】
潤滑ストリップを若干高くする膨張は上記のように有益であるが、膨張ストリップは膨張していないストリップよりも早く磨耗するので、ストリップの磨耗率も大きくなる。膨張を相殺するには、油（鉱油又はベビーオイルなど）の添加がストリップの膨張低減に役立ち、適切な磨耗率をもたらすことができる。約１％のベビーオイルを典型的な潤滑ストリップに添加すると、剃毛歴の過程において刃に対して適切な形状をもたらすことができる。
【００５１】
ストリップの形状及び材料に関して考慮すべき更なる別の要因は、一部のかみそりカートリッジが混在した刃の高さ及び／又は混在した種類の刃を有することである。
【００５２】
混在した刃の高さに関しては、本発明の複数の刃は、さまざまな刃面高さの任意の組み合わせで配置されてよい。図１０を参照すると、本発明の別の実施形態が複数の刃を含むように示されており、キノコ形状の潤滑ストリップ１４は、最後尾の刃である又はストリップ１４の最も近位にある刃１２ａの最大刃面高さ１５ａを超えるストリップ露出部１６ａを有する。このように、最も近位の１枚又は複数の刃の高さ以上のストリップ高さは、剃毛中に最も近位の１枚又は複数の刃の鋭利さ及び切断抵抗からユーザーを保護する。
【００５３】
図１０では、刃１２ｂ及び１２ｃが刃面１５ａを超える刃面高さ１５ｂで示される。潤滑ストリップ１４は、刃面高さ１５ａ以上であるが、刃面１５ｂよりは低いストリップ高さ１７を有する。したがって、ストリップ露出部１６ｂは、図２と共に前述したのと同様に、約−０．１０ｍｍ〜約０．００ｍｍの望ましい範囲内にあってもよい。
【００５４】
本発明のかみそりシステムは、すべての刃が同じ種類である、例えば、すべての刃が従来のかみそり刃よりも鋭利で薄い、又は混在した種類、鋭利さ、薄さ、強度などである、かみそりカートリッジに対して配置されたストリップを有してよい。鋭利で薄い刃は、米国特許第６，８６６，８９４号及び同第６，６８４，５１３号に記載されている。ステンレス刃の基材の典型的な厚さは、約７５μｍである。楔形の構成に形成された刃先は、約２００〜約３００オングストロームの最先端部半径を有してよく、刃先は、ダイヤモンド状炭素の硬質層、クロム被膜層、及び極薄ポリテトラフルオロエチレン（ＰＴＦＥ）外層でコーティングされてよい。
【００５５】
したがって、本発明の更に別の実施形態（図示せず）では、ストリップは、一部の鋭利で薄い刃と、他の標準的な刃又は従来の刃との組み合わせ、例えば、４枚の鋭利な刃と１枚の標準的な刃であってよい。試験では、より鋭利な／薄い刃を備えた、より高いストリップ露出部が最も良好な剃毛属性、快適性、及び深剃りをもたらすことが実質的に確認された。したがって、より鋭利な／薄い刃が深剃り属性をもたらすとしても、不快感、刺激、及びカートリッジ内により鋭利な／薄い刃の大部分を有することに関連する他の悪影響は、潤滑ストリップ又はキャップの形状により最小化されるか、大幅に低減されてもよいが、一方では深剃り剃毛属性をもたらし、他の剃毛属性を犠牲にしない。処方及び製造プロセス（例えば、押出成形又は鋳造）も影響を及ぼすことがある。これは、剃毛中にストリップが湿った際の磨耗率及び膨張率を変化させることによって、これらがストリップの形状に間接的に影響し得るからである。
【００５６】
したがって、カートリッジ内の刃の種類、高さ、又はこれらの組み合わせに事実上関係なく、より高いストリップ及びより鋭利な／薄い刃を使用した場合に快適性及び深剃りについて効果的に改善された結果が観察されたが、ストリップ露出部が上記の範囲内にあり、改善された剃毛属性がもたらされるという事実にも留意する必要がある。このことは、ストリップ角についても当てはまる。
【００５７】
潤滑ストリップ露出部に関するこのような剃毛の改善は、複数刃を有する手動湿式剃毛かみそりシステム及び動力湿式剃毛かみそりシステムの両方で確認された。
【００５８】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【００５９】
「発明を実施するための形態」で引用したすべての文献は、関連部分において本明細書に参考として組み込まれるが、いずれの文献の引用も、それが本発明に関して先行技術であることを容認するものとして解釈されるべきではない。この文書における用語の任意の意味又は定義が、参照として組み込まれる文献における用語の任意の意味又は定義と矛盾する範囲については、本文書における用語に与えられた意味又は定義が適用される。
【００６０】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の書類名特許請求の範囲で扱うものとする。
【図１】
0005420657.tif 000003
【図２】
0005420657.tif 000004
【図２Ａ】
0005420657.tif 000005
【図３】
0005420657.tif 000006
【図４】
0005420657.tif 000007
【図５】
0005420657.tif 000008
【図６】
0005420657.tif 000009
【図７】
0005420657.tif 000010
【図８】
0005420657.tif 000011
【図９】
0005420657.tif 000012
【図１０】
0005420657.tif 000013